(57)【特許請求の範囲】
【請求項１】
本体が少なくとも二つの部品からなり、
一方の部品が他方の部品に対して本体高さ方向に移動することにより本体高さを変更可能にされ、異なる本体高さで両部品を互いに固定する固定構造を有し、
前記本体の内部で球を落下させる構造を有し、前記両部品のうち本体高さを比較的高くした状態で相対的に上に配置される部品に前記球の投入口が形成され、
前記一方の部品が、前記他方の部品に上下方向に出し入れされる構造を有することにより本体高さを変更可能にされ、当該一方の部品の当該他方の部品内に配置可能な側面部材の全部又は一部が透明に構成されており、前記側面部材の透明部を介して前記投入口に投入される前記球の落下の様子が外部から観察可能に構成されてなる知育玩具。
【請求項２】
前記両部品の本体高さ方向の相対的可動範囲における最大本体高さにおいて前記両部品を互いに固定する固定構造を有する請求項１に記載の知育玩具。
【請求項３】
前記両部品のうち本体高さを比較的高くした状態で相対的に上に配置される部品が、他方の部品に上下方向に出し入れされる構造を有することにより本体高さを変更可能にされてなる請求項１又は請求項２に記載の知育玩具。
【請求項４】
前記本体の外側に球を落下させるスロープが設けられてなる請求項１に記載の知育玩具。
【請求項５】
前記本体は、押え、前記両部品のうち本体高さを比較的高くした状態で相対的に上に配置される前記一方の部品としてのタワー及び前記他方の部品としてのベースの３部品を備え、
前記ベースは上孔と底孔を有した筒構造を有し、前記上孔周りには内フランジが形成され、前記筒構造の内側底部に一周に対して欠落部を有する部分内フランジが形成され、
前記タワーは、前記ベースの筒構造内に前記底孔から挿入され、前記上孔から突出可能な直径を有した筒状に形成され、その底部には、前記内フランジ及び前記部分内フランジによって上方への移動が規制され、前記欠落部を上下方向に通過可能な部分外フランジが形成され、
前記押えは、前記底孔を塞ぐ蓋部と、当該蓋部に立設され、前記欠落部及び当該欠落部の上部に形成される前記ベースの筒構造の内周面と前記タワーの外周面との間の隙間からなる空間に配置される支柱とを備え、
前記部分外フランジを前記部分内フランジの下に重ねて配置し、前記押えの蓋部によって前記底孔に蓋をした状態において、前記タワーの上下動が前記部分内フランジと前記蓋部によって規制され、前記タワーの回動が前記支柱の側縁によって規制されることにより、本体高さを比較的低くした状態での前記固定構造が実現され、
前記部分外フランジを前記内フランジの下に重ねて配置し、前記押えの蓋部によって前記底孔に蓋をした状態において、前記タワーの上下動が前記内フランジと前記支柱の上端によって規制され、前記タワーの回動が前記内フランジ又は前記支柱に形成された係合部によって規制されることにより、本体高さを比較的高くした状態での前記固定構造が実現される請求項１から請求項４のうちいずれか一に記載の知育玩具。
【請求項６】
前記タワーは内部で球を落下させる構造を有し、当該球の投入口が上部に形成され、当該球の排出口が底部に形成され、
前記ベースは、前記排出口に連通する前記球の出口を相対する側部に２つ有し、
本体高さを比較的低くした状態で固定されるとき、前記排出口が前記２つの出口のうちいずれか一方のみに連通し、
本体高さを比較的高くした状態で固定されるとき、前記排出口が前記２つの出口の双方に連通する請求項５に記載の知育玩具。
【請求項７】
本体高さを比較的低くした状態で固定されるときに前記排出口に連通する出口は、前記２つの出口から選択可能である固定構造を有する請求項６に記載の知育玩具。
【請求項８】
前記タワーの上部に、音及び／又は光を発する仕掛けのトリガーが設けられている請求項５から請求項７のうちいずれか一に記載の知育玩具。
【発明の詳細な説明】
【技術分野】
【０００１】
本発明は、知育玩具に関する。
【背景技術】
【０００２】
従来、乳幼児の知覚、思考力等の発達等のために、ボール落し（フィッシャー社、くもん社）や、知育ボックス（タカラトミー社、ピープル社、アガツマ社）等の知育玩具が各社から発売されている。
ボール落しとしては、螺旋状のスロープを落下させるもの（フィッシャー社）、透明筒と、当該透明筒内に配置された螺旋条を有した柱とを備え、当該透明筒内で当該柱周りに落下させるもの（くもん社）などがある。
知育ボックスは、音や光を発するボタン又はその他のパーツ、開閉ドア（音仕掛けも有）、形合わせなどのパズル的なもの、ボールを転がすコース、本体に着脱自在の装飾パーツなど様々な要素が集合しており、それらを実現する電気的・機械的仕掛けやそのトリガーが構成されているものである。
【発明の開示】
【発明が解決しようとする課題】
【０００３】
乳幼児は、おすわり、ハイハイ、立ち上がり、つかまり歩き、歩行などの順で身体的に発達する。
従来の知育玩具にあっては高さが一定である。乳幼児が座った状態で完全に遊べる知育玩具にあっては、乳幼児が立ち上がり時期を過ぎても、座った状態で遊べるので、立ち上がったり、しゃがんだり、中腰になったり、周りを横歩きしたりしながら遊ぶという行動を誘発しにくい。
このような立ち上がったり、歩いたり等の活発な活動を自然に誘発し、立ち上がることによる視界の変化を伴いながら、乳幼児自身大いに刺激を受け自ら新たな遊びを発見しつつ、遊ぶことができる知育玩具が好ましい。
一方、立ち上がり時期前は、座った状態で遊び易いものが好ましい。
【０００４】
本発明は以上の従来技術における問題に鑑みてなされたものであって、乳幼児が座った状態で遊びやすくすることができるとともに、乳幼児が立ち上がって遊ぶことを誘発することもできる知育玩具を提供することを課題とする。
【課題を解決するための手段】
【０００５】
以上の課題を解決するための請求項１記載の発明は、本体が少なくとも二つの部品からなり、
一方の部品が他方の部品に対して本体高さ方向に移動することにより本体高さを変更可能にされ、異なる本体高さで両部品を互いに固定する固定構造を有し、
前記本体の内部で球を落下させる構造を有し、前記両部品のうち本体高さを比較的高くした状態で相対的に上に配置される部品に前記球の投入口が形成され、
前記一方の部品が、前記他方の部品に上下方向に出し入れされる構造を有することにより本体高さを変更可能にされ、当該一方の部品の当該他方の部品内に配置可能な側面部材の全部又は一部が透明に構成されており、前記側面部材の透明部を介して前記投入口に投入される前記球の落下の様子が外部から観察可能に構成されてなる知育玩具である。
【０００６】
請求項２記載の発明は、前記両部品の本体高さ方向の相対的可動範囲における最大本体高さにおいて前記両部品を互いに固定する固定構造を有する請求項１に記載の知育玩具である。
【０００８】
請求項３記載の発明は、前記両部品のうち本体高さを比較的高くした状態で相対的に上に配置される部品が、他方の部品に上下方向に出し入れされる構造を有することにより本体高さを変更可能にされてなる請求項１又は請求項２に記載の知育玩具である。
【００１２】
請求項４記載の発明は、前記本体の外側に球を落下させるスロープが設けられてなる請求項１に記載の知育玩具である。
【００１３】
請求項５記載の発明は、前記本体は、押え、前記両部品のうち本体高さを比較的高くした状態で相対的に上に配置される前記一方の部品としてのタワー及び前記他方の部品としてのベースの３部品を備え、
前記ベースは上孔と底孔を有した筒構造を有し、前記上孔周りには内フランジが形成され、前記筒構造の内側底部に一周に対して欠落部を有する部分内フランジが形成され、
前記タワーは、前記ベースの筒構造内に前記底孔から挿入され、前記上孔から突出可能な直径を有した筒状に形成され、その底部には、前記内フランジ及び前記部分内フランジによって上方への移動が規制され、前記欠落部を上下方向に通過可能な部分外フランジが形成され、
前記押えは、前記底孔を塞ぐ蓋部と、当該蓋部に立設され、前記欠落部及び当該欠落部の上部に形成される前記ベースの筒構造の内周面と前記タワーの外周面との間の隙間からなる空間に配置される支柱とを備え、
前記部分外フランジを前記部分内フランジの下に重ねて配置し、前記押えの蓋部によって前記底孔に蓋をした状態において、前記タワーの上下動が前記部分内フランジと前記蓋部によって規制され、前記タワーの回動が前記支柱の側縁によって規制されることにより、本体高さを比較的低くした状態での前記固定構造が実現され、
前記部分外フランジを前記内フランジの下に重ねて配置し、前記押えの蓋部によって前記底孔に蓋をした状態において、前記タワーの上下動が前記内フランジと前記支柱の上端によって規制され、前記タワーの回動が前記内フランジ又は前記支柱に形成された係合部によって規制されることにより、本体高さを比較的高くした状態での前記固定構造が実現される請求項１から請求項４のうちいずれか一に記載の知育玩具である。
【００１４】
請求項６記載の発明は、前記タワーは内部で球を落下させる構造を有し、当該球の投入口が上部に形成され、当該球の排出口が底部に形成され、
前記ベースは、前記排出口に連通する前記球の出口を相対する側部に２つ有し、
本体高さを比較的低くした状態で固定されるとき、前記排出口が前記２つの出口のうちいずれか一方のみに連通し、
本体高さを比較的高くした状態で固定されるとき、前記排出口が前記２つの出口の双方に連通する請求項５に記載の知育玩具である。
【００１５】
請求項７記載の発明は、本体高さを比較的低くした状態で固定されるときに前記排出口に連通する出口は、前記２つの出口から選択可能である固定構造を有する請求項６に記載の知育玩具である。
【００１６】
請求項８記載の発明は、前記タワーの上部に、音及び／又は光を発する仕掛けのトリガーが設けられている請求項５から請求項７のうちいずれか一に記載の知育玩具である。
【発明の効果】
【００２５】
本発明によれば、高くすることにより高い位置に遊びの要素が配置されたり、高くなったことを利用して遊びの幅が広がったりするので、高さを変えることにより、乳幼児が座った状態で遊びやすくすることができるとともに、乳幼児が立ち上がって遊ぶことを誘発することもできるという効果がある。  
【発明を実施するための最良の形態】
【００２６】
以下に本発明の一実施形態につき図面を参照して説明する。以下は本発明の一実施形態であって本発明を限定するものではない。
【００２７】
図１、図２は、本実施形態に係る知育玩具の斜視図である。図１においてはタワーを伸ばした状態、図２においてはタワーを縮めた状態を示している。図２は、図１に対して垂直軸周りに１８０度異なる視点から描いている。
【００２８】
図１及び図２に示すように本知育玩具は、ベース１と、タワー２とを備える。
ベース１には、バスケットゴール１１、トンネル１２、球置き１３、ドア１４、スロープ１５が設けられている。
【００２９】
本知育玩具は、バスケットゴール下部１１ａに球が落ちると鐘の音が鳴る仕掛けを有する。本知育玩具は、球置き１３に球を置いて押すと笛の音が鳴る仕掛けを有する。球置き１３，１３は、バスケットゴール下部１１ａの両側に設けられている。
トンネル１２と、ドア１４とは反対面に設けられている。トンネル１２及びドア１４の双方は、球４が落下するタワー２内と連通しており、タワー２内を落下する球４はトンネル１２又はドア１４に到達する。本知育玩具は、トリガーボタン１４ａを押すとドア１４が開く仕掛けを有する。また本知育玩具は、トリガーボタン１４ａ押下時に音が鳴る仕掛けを有する。スロープ１５は、球を転がり落すものであり、そのコースは曲がりくねっている。スロープ１５を落下する球のゴールはトンネルゴール部１２ａである。
【００３０】
タワー２の上部２２には、球４の投入口２２ａが形成されている。本知育玩具は、投入口２２ａを通過する球４を検出し、一定時間メロディを流す仕掛けを有する。タワー２の上部２２には、一又は複数のトリガーボタン２２ｂが設けられている。本知育玩具は、トリガーボタン２２ｂを押すと、音及び／又は光を発する仕掛けを有する。その発光部位は、トリガーボタン２２ｂ自身でもよいし、他の部分としてもよい。音は、複数のトリガーボタンで異なる種類の音とするもよい。
【００３１】
図３に、タワーの単独斜視図を示す。図４にタワーの底面のみ描いた底面図を示す。図３に示すようにタワー２は、透明筒２１と、上部２２と、底部２３と、柱２４とを備える。透明筒２１と、柱２４とは同軸に配置されており、互いの間隔が一定に保持されている。柱２４の周面には螺旋条２４ａが形成されている。底部２３の透明筒２１の下端開口を覆う部分には切欠状に通過口２３ａが形成されている。透明筒２１の下端部にも、この通過口２３ａに連続して切欠状に通過口２１ａが形成されている。通過口２１ａ及び通過口２３ａで一つの孔が形成されている。通過口２１ａは、図２に示すタワーを縮めた状態において球４の通過口（タワー２からの排出口）となる。通過口２３ａは、図１に示すタワーを伸ばした状態において球４の通過口（タワー２からの排出口）となる。タワー２の底部には、一対の部分外フランジ２３ｂ，２３ｃが形成されている。
【００３２】
タワー上部２２に形成された投入口２２ａから投入された球４は、メロディが流れる中、螺旋条２４ａに案内されてぐるぐる回りながら落下し、通過口２１ａ，２３ａに至る。
このとき、タワー２を縮めた状態においては、球４は通過口２１ａを通過する。タワーを縮めた状態においては、通過口２１ａは、トンネル１２の正面に配置されており、トンネル１２のみに連通する。したがって、通過口２１ａを通過した球４はトンネル１２から出てくる。なお、タワー２をベースに対して垂直軸周りに１８０度反対に固定することにより、通過口２１ａをドア１４の正面に配置し、ドア１４のみに連通するように組立てることもできる。
【００３３】
一方、タワー２を伸ばした状態においては、球４は通過口２３ａを通過する。タワーを伸ばした状態においては、タワーを縮めた状態に対してタワー２の角度は９０度異なっており、従って、通過口２３ａは、トンネル１２及びドア１４に対してほぼ等距離の中立的位置に配置され、トンネル１２及びドア１４の双方に連通する。
【００３４】
タワー２を伸ばした状態においては、透明筒２１を介して球４の落下を観察できる。タワー２を縮めた状態においては、球４の落下を観察できないように、ベース１を不透明としてもよいし、球の通過を確認する窓をベース１に設けてもよい。
【００３５】
次に、図５〜図７を加えて参照しつつ、本知育玩具の構造と動作につき説明する。
図５は、押えの単独斜視図である。図６は、押えの底面のみ描いた底面図である。図７は、本知育玩具の高さ変更の過程を示す模式的断面図であり、図(a1)(b1)(c1)と図(a2)(b2)(c2)とでは垂直軸周りに９０度異なる視点から描いている。
【００３６】
ベース１は、上孔と底孔を有した筒構造を有している。ベース１の上孔は、図１において、タワー２が突出している孔である。タワー２がベース１の底孔から挿入されて組立てられる。ベース１の上孔は、タワー２の上部２２及び透明筒２１が通過し、部分外フランジ２３ｂ，２３ｃが通過しない径にされている。タワー２の底孔（図示せず）は、部分外フランジ２３ｂ，２３ｃも通過する径とされている。
【００３７】
図５、図６に示すように押え３は、蓋部３１と、一対の支柱３２ａ，３２ｂとを備える。蓋部３１は、ベース１の底孔を塞ぐものである。タワー２をベース１の底孔から挿入した後、支柱３２ａ，３２ｂをベース１の内周面とタワー２の外周面との間の隙間に挿入し、蓋部３１でベース１の底孔に蓋をすることによって組立てる。
【００３８】
支柱３２ａ，３２ｂは、それぞれ中心角略９０度の部分円筒状に形成され、底部にはアーチ状通過口３５ａ，３５ｂが形成されている。
蓋部３１には、相対するアーチ状通過口３５ａと３５ｂとを直線状に繋げる案内路３４が形成されている。また、蓋部３１には、案内路３４の中央部両側に連続する案内スロープ３３ａ，３３ｂが形成されている。タワー２を伸ばした状態において案内スロープ３３ａ，３３ｂの一方が、通過口２３ａの直下に配置される。
【００３９】
図７に示すように、ベース１の上孔周りには内フランジ１ａが形成されている。ベース
１の内側底部に一対の部分内フランジ１ｂ，１ｂが形成されている。
本実施形態においては、内フランジ１ａは一周に亘って形成されている。内フランジ１ａの１部を切欠いてもよい。部分外フランジ２３ｂ，２３ｃ、部分内フランジ１ｂ，１ｂ及び支柱３２ａ，３２ｂは、各中心角略９０度の一対で相対する位置に構成される。内フランジ１ａ及び部分内フランジ１ｂ，１ｂによって部分外フランジ２３ｂ，２３ｃの上方への移動が規制され、部分外フランジ２３ｂ，２３ｃが部分内フランジ１ｂ，１ｂの間の欠落部を上下方向に通過可能となるように、各部が形成されている。
【００４０】
図７(a1)(a2)は、タワー２を縮めた状態での固定構造を示している。図７(c1)(c2)は、タワー２を伸ばした状態での固定構造を示している。図７(a1)(a2)及び図７(c1)(c2)に示すように支柱３２ａ，３２ｂは、部分内フランジ１ｂ，１ｂの間の欠落部に配置される。また図７(a1)(a2)に示すように支柱３２ａ，３２ｂは、部分内フランジ１ｂ，１ｂの間の欠落部及び当該欠落部の上部に形成されるベース１の内周面とタワー２の外周面との間の隙間に配置される。
【００４１】
図７(a1)(a2)に示すように、部分外フランジ２３ｂ，２３ｃを部分内フランジ１ｂ，１ｂの下に重ねて配置し、押え３の蓋部３１によってベース１の底孔に蓋をした状態とする。これにより、タワー２の上下動が部分内フランジ１ｂ，１ｂと蓋部３１によって規制され、タワー２の回動が支柱３２ａ，３２ｂの側縁によって規制されることにより、本体高さを比較的低くした状態（本実施形態では最低高さ）での固定構造が実現される。
【００４２】
かかる状態から、図７(b1)(b2)に示すように押え３を外し、タワー２を垂直軸周りに９０度回転させて部分外フランジ２３ｂ，２３ｃを部分内フランジ１ｂ，１ｂの直下範囲から離脱させた上で、ベース１に対して上昇させる。
次に、図７(c1)(c2)に示すように部分外フランジ２３ｂ，２３ｃを内フランジ１ａの裏面に当接するまでタワー２を上昇させ、部分外フランジ２３ｂ，２３ｃを内フランジ１ａの裏面に形成された係合部（図示せず）に係合させる。この係合部は、タワー２の回動を規制するものであれば構造は任意である。例えば、図４に示す部分外フランジ２３ｂ，２３ｃの終端２３ｄに当接する凸部とすれば足りる。また、係合部を支柱の上端に形成し、部分外フランジ２３ｂ，２３ｃに形成した凹部に嵌る凸部としてもよい。
さらに、押え３でベース１の底孔に蓋をする。
これにより図７(c1)(c2)に示すように、タワーの上下動が内フランジ１ａと支柱３２ａ，３２ｂの上端によって規制され、タワー２の回動が内フランジ１ａ又は支柱３２ａ，３２ｂに形成された係合部によって規制されることにより、本体高さを比較的高くした状態（本実施形態では最高高さ）での固定構造が実現される。
【００４３】
以上説明したように、タワー２を伸ばした状態と、縮めた状態とで、ベース１に対するタワー２の相対角度が９０度異なっている。かかる構造を利用して次のような仕組みが構成される。
すなわち、タワー２を伸ばした状態において通過口２３ａは、図１に示すようにトンネル１２及びドア１４（図２参照）に対してほぼ等距離の中立的位置に配置される。このとき、通過口２１ａは、バスケットゴールボード１１ｂに覆われている。トンネル１２及びドア１４の双方に連通する通過口２３ａから落下した球４は、案内スロープ３３ａ又は３３ｂに落下し、案内路３４及びアーチ状通過口３５ａ又は３５ｂを通過してトンネル１２又はドア１４に案内される。
一方、タワー２を縮めた状態において通過口２３ａは蓋部３１によって球４の通過が許されない程度に閉ざされるものの、タワー２側面の通過口２１ａが、アーチ状通過口３５ａ又は３５ｂ及びトンネル１２又はドア１４に対向して配置される。通過口２１ａは、トンネル１２又はドア１４に連通する。通過口２１ａを通過した球４は、アーチ状通過口３５ａ又は３５ｂを通過してトンネル１２又はドア１４に案内される。通過口２１ａをトンネル１２に連通させるか、ドア１４に連通させるかは、組立時にタワー２をベースに固定する相互に１８０度異なる角度を選択することによって選択することができる。
【００４４】
以上説明した本実施形態の知育玩具によれば、図２に示すタワー２を縮めた状態にすることによって、主に立ち上がり時期前の乳幼児に対し座った状態で遊びやすくすることができる。乳幼児が座った状態で（もちろん、立ちや中腰、しゃがみ状態でも）、上部２２のトリガーボタン２２ｂを押す指遊び、投入口２２ａやバスケットゴール１１に球を投入したり、スロープ１５で球を落下させたりする球遊び、ドア１４の開閉遊びなどで遊べる。また、その遊びのなかで音や光が発せられ、五感をフルに使っての遊びを提供することができる。
【００４５】
その上、本実施形態の知育玩具によれば、図１に示すタワーを伸ばした状態にすることによって、立ち上がり時期を過ぎた乳幼児に対し立ち上がって遊ぶことを誘発することもできる。特に、本実施形態の知育玩具によれば、上部２２に球４の投入口２２ａや仕掛けのトリガーボタン２２ｂが設けられているので、乳幼児が立ち上がって、さらに周りを横歩きしながら移動して遊ぶことを誘発することに優れる。また、本実施形態の知育玩具によれば、透明筒２１が上部に配置され出口が底部に配置されるので、立ち上がったり中腰になったりして落球を観察したり、しゃがんだりして出口を確認したりすることを誘発することに優れる。
また、本実施形態の知育玩具によれば、透明筒２１内の螺旋コースと、外側のスロープ１５とで同時に球を落下させる遊びや、そのどちらが先にトンネルゴール部１２ａに到達するかを比較する遊び、その結果がタワー２を伸ばしたときと縮めたときとで異なるかなどの遊びへ発展が有り、身体的及び頭脳的な発達を誘発できる。
また、本実施形態の知育玩具によれば、タワー２を伸ばした状態において投入口２２ａに投入した球がトンネル１２及びドア１４のうちどちらに出てくるかわからないので、その確認をするために、反対側に回ったりする乳幼児の運動を誘発することに優れる。
【００４６】
以上のように本実施形態の知育玩具によれば、乳幼児の立ち上がり・しゃがみ等の上下の動きや周囲を廻る動きを誘発しつつ、乳幼児に視界の変化を伴いながら五感をフルに使って様々な遊びを繰り返し経験させ、乳幼児自身大いに刺激を受けて自ら新たな遊びを発見しつつ、成長段階を経て長期に知育を図りながら遊びに供されることが期待できる。そのために、本体高さが変化することが重要な技術的意義を有している。    
【図面の簡単な説明】
【００４７】
【図１】本発明一実施形態に係る知育玩具のタワーを伸ばした状態における斜視図である。
【図２】本発明一実施形態に係る知育玩具のタワーを縮めた状態における斜視図である。図１に対して垂直軸周りに１８０度異なる視点から描いている
【図３】本発明一実施形態に係るタワーの単独斜視図である。
【図４】本発明一実施形態に係るタワーの底面のみ描いた底面図である。
【図５】本発明一実施形態に係る押えの単独斜視図である。
【図６】本発明一実施形態に係る押えの底面のみ描いた底面図である。
【図７】本発明一実施形態に係る知育玩具の高さ変更の過程を示す模式的断面図である。図(a1)(b1)(c1)と図(a2)(b2)(c2)とでは垂直軸周りに９０度異なる視点から描いている。
【符号の説明】
【００４８】
１     ベース
１ａ   内フランジ
１ｂ，１ｂ    部分内フランジ
２     タワー
３     押え
４     球
１１   バスケットゴール
１１ａ バスケットゴール下部
１２   トンネル
１２ａ トンネルゴール部
１４   ドア
１４ａ トリガーボタン
１５   スロープ
２１   透明筒
２１ａ，２３ａ通過口（タワー２の排出口）
２２   タワー上部
２２ａ 投入口
２２ｂ トリガーボタン
２３ｂ，２３ｃ部分外フランジ
２４   柱
２４ａ 螺旋条
３１   蓋部
３２ａ，３２ｂ支柱
３３ａ，３３ｂ案内スロープ
３４   案内路
３５ａ，３５ｂアーチ状通過口
【図１】
0004783780.tif 000002
【図２】
0004783780.tif 000003
【図３】
0004783780.tif 000004
【図４】
0004783780.tif 000005
【図５】
0004783780.tif 000006
【図６】
0004783780.tif 000007
【図７】
0004783780.tif 000008